(57)【特許請求の範囲】
【請求項１】
溶鋼を環流させるための内筒部の外周に配置された耐熱性金属よりなる筒状の芯金の内周および外周に耐火材を配し、前記内筒部を環流する溶鋼に不活性ガスを吐出するための複数の環流ガス配管の基部に集合管を形成し、かつ、前記複数の環流ガス配管の先端の環流ガス吐出孔を前記耐火材を通して前記芯金に沿って略均一に前記内筒部内面に開設した真空脱ガス装置の浸漬管であって、前記環流ガス吐出孔の位置によって環流ガス配管の長さが異なる構造の浸漬管において、
配管長が短い環流ガス配管の吐出孔側の配管部の断熱性よりも、配管長が長い環流ガス配管の吐出孔側の配管部の断熱性を増大したことを特徴とする真空脱ガス装置の浸漬管。
【請求項２】
溶鋼を環流させるための内筒部の外周に配置された耐熱性金属よりなる筒状の芯金の内周および外周に耐火材を配し、前記内筒部を環流する溶鋼に不活性ガスを吐出するための複数の環流ガス配管の基部に集合管を形成し、かつ、前記複数の環流ガス配管の先端の環流ガス吐出孔を前記耐火材を通して前記芯金に沿って略均一に前記内筒部内面に開設した真空脱ガス装置の浸漬管であって、前記環流ガス吐出孔の位置によって環流ガス配管の長さが異なる構造の浸漬管において、
配管長が短い環流ガス配管の内断面積よりも、配管長が長い環流ガス配管の内断面積を大きくしたことを特徴とする真空脱ガス装置の浸漬管。
【請求項３】
真空脱ガス装置の浸漬管を溶融金属へ浸漬した際の浸漬管外筒側に存在する溶融金属の湯面の高さ位置と、環流ガス配管の先端の環流ガス吐出孔の高さ位置までの距離が最短になるように環流ガス吐出孔が配置されていることを特徴とする請求項１又は２に記載の真空脱ガス装置の浸漬管。
【請求項４】
前記環流ガス配管の長さが、配管元吹込み部から環流ガス吐出孔までの各配管の圧損差が１０％以内となる長さであることを特徴とする請求項２又は３に記載の真空脱ガス装置の浸漬管。
【発明の詳細な説明】
【技術分野】
【０００１】
本発明は高清浄度鋼を製造する際に使用する真空脱ガス炉の浸漬管であり、溶鋼循環のための循環ガス配管を設けた浸漬管に関する。
【背景技術】
【０００２】
転炉等により脱炭素されたのちの溶鋼から高清浄度鋼を製造するに際しては、真空脱ガス炉において、その真空炉部分に通じる上昇管と下降管からなる浸漬管を溶鋼中へ浸漬し、上昇管内に設けた配管から不活性ガスを吹き込み、溶鋼を循環させて脱ガスを行う。
【０００３】
真空脱ガス炉の浸漬管は、耐熱性金属よりなる筒状の芯金と芯金の内側及び外側に耐火材を配し、さらに、溶鋼が流れる内筒部を備えた基本構造を有する。
【０００４】
図７は真空脱ガス炉に取り付けられた従来の浸漬管の垂直断面を示し、図８は、図７のＡ−Ａ線から見た水平断面を示し、図９は浸漬管の環流ガスを吹き込む環流ガス配管５を平面状に展開した図である。
【０００５】
図７と図８において、浸漬管の中心位置に配置した円筒状の芯金１の内外周には、耐火れんが２が不定形材３を介して金物によって固定、支持されている。
【０００６】
環流ガス配管５は、浸漬管の内側へ芯金１に沿って略均一に耐火れんが２内に形成された複数の孔に挿入された複数本の耐熱鋼製のパイプが配置され、それぞれのパイプ先端からアルゴンガスなどの環流ガスを溶鋼内に吐出する。
【０００７】
そして、複数本の環流ガス配管５は、浸漬管を真空脱ガス炉へセットする際の作業性から、その基部を１個所に集めた集合管６を形成して、それぞれの環流ガス配管５への外部からの環流ガスの取り込み口を集合した構造となっている。
【０００８】
このような環流ガス配管構造を有する真空脱ガス炉において、効率良く溶融鋼の脱ガスを行うためには、環流ガスによって溶融鋼の均一な流れを形成することが必要であり、そのためには複数本設けられた環流ガス配管からのガスは、それぞれの吐出孔から均一に吐出させる必要性がある。
【０００９】
ところが、この必要性からいうと、従来の浸漬管には種々の問題がある。
【００１０】
その第１は、図９に示す集合管構造では、環流ガス配管５の配置からいうと、環流ガス取り入れ位置に対して吐出孔５ａの向きが０°から１８０°位置にまで変わることになり、それぞれの環流ガス配管５の長さが異なることになるため、環流ガス配管毎の圧力損失に差が生じ、吐出孔５ａの位置によって環流ガスの吐出量が異なる現象が生じることである。
【００１１】
一方、処理中の浸漬管の温度は内外周ともに溶融鋼と接しているため、１６００℃以上の温度に晒される。環流ガス配管は浸漬管内へ埋設した構造をとることから、環流ガスは配管内を流れるにつれて温度が上昇する。とくに、図９に示す環流ガス配管構造では、配管毎に配管長が異なるため溶鋼処理中の受ける熱量が場所により異なる。また、配管周囲の雰囲気温度差も大きくなることもあって、その温度差に伴って、配管内から吐出される循環ガスの粘性に差が生じ、そのため、吐出孔位置によって環流ガスの吐出量が異なる現象が発生する。
【００１２】
これらの現象により集合管を構成する環流ガス配管毎に環流ガスの吐出量が異なり、これによって環流する溶鋼流が乱れて偏流を生じ、耐火物の不均一な損傷が発生する原因になっている。
【００１３】
この問題に対して、種々の対策が提案されている。例えば、特許文献１には、環流ガス配管を２重管構造とし、内筒側に炭化水素ガスを、外筒側に断熱ガスとなるＡｒガスを吹き込むようにし、Ａｒとプロパンの混合比を調整することにより、環流ガスは１〜４倍の間で連続的にガス吹き込み羽口からの吹き込みガス量を制御し、脱ガス効率を上げることが提案されている。しかしながら、精錬される鋼種によっては鋼中水素や炭素の上昇が懸念される。また、配管長が異なる場合、配管位置によって溶鋼処理中に受ける熱量が異なることは変わらず、配管長が長い部分においては、環流ガスの温度が上昇し、ガスの粘性が向上してしまうことが懸念される。
【００１４】
また、特許文献２，３，４には、鉄皮周囲へ断熱モルタル等の断熱体の施工について記載されているが、あくまでも芯金温度上昇に伴う変形防止を目的としたものであるため、吹込み不活性ガスの流量均一化の効果は期待できない。
【先行技術文献】
【特許文献】
【００１５】
【特許文献１】特開２０００−４５０１３号公報
【特許文献２】特開平７−２２４３１９号公報
【特許文献３】特開２００１−３３１７４号公報
【特許文献４】特開２０１０−１６８６００号公報
【発明の概要】
【発明が解決しようとする課題】
【００１６】
ここで、本発明は、真空脱ガス装置の浸漬管内の均一な溶融鋼の流れを形成させるため、真空脱ガス装置の浸漬管の環流ガス配管構造において、それぞれの環流ガス配管からの環流ガスの吐出量を均一とし、環流する溶鋼流の乱れによる耐火物の不均一な損傷の発生を防止することができる真空脱ガス装置の浸漬管を提供するものである。
【課題を解決するための手段】
【００１７】
本発明は、環流ガス配管から吐出される環流ガス流は、環流ガス配管の管長に伴う圧力損失差と、金属溶湯からの熱による吐出ガス流の粘性の変化に影響されるという点に着目して完成した。
【００１８】
すなわち、本発明の特徴は、真空脱ガス炉の浸漬管内の環流ガス配管の配管長さが異なることによる圧力損失によるガス流量差を抑え、更に環流ガス配管の吐出孔における断熱機能を強化し、これによって、環流ガス配管内の環流ガスの温度上昇を防ぐことで環流ガスの粘性が上がることを抑制することにより、それぞれの環流ガス配管のガス流量バランスをとった点にある。
【００１９】
環流ガスの圧力損失に伴う環流ガス流量差抑制手段の第１の手段は、環流ガス吐出孔位置によって環流ガスを吹き込む配管長さが異なる構造の浸漬管において、配管長が短い環流ガス配管の断熱性よりも、配管長が長い環流ガス配管の断熱性を増大させたことである。
【００２０】
具体的には、本発明の浸漬管には、環流ガスの吐出孔位置が異なることによって、環流ガス配管の長さがそれぞれ異なる構造の浸漬管において、集合管から遠い位置に配置する環流ガス配管及び吐出孔周辺の断熱を強化する。浸漬管によっては、芯金の熱膨張と変形の抑制を目的として芯金と耐火材の間に内筒側、外筒側のいずれの箇所にも断熱材を施工する場合がある。この場合においても、集合管から遠い位置に配置する環流ガス配管及び環流ガス吐出孔周辺の断熱を強化する。そのために集合管から遠い位置に配置された環流ガス配管と環流ガス吐出孔周辺の断熱には、熱伝導率が更に低い部材を用いることが望ましい。
【００２１】
集合管から遠い位置に配置する環流ガス配管及び環流ガス吐出孔周辺の断熱の強化を行う方法としては、環流ガス配管へ直接断熱材を塗布したり、断熱テープを巻いたりすることも可能である。また、断熱材としてシリカ、アルミナなどの中空粒子を使用した断熱キャスタブルやモルタル、断熱ウール、断熱シートを使用してもよい。
【００２２】
環流ガス流量差抑制手段の第２の手段は、環流ガス吐出孔位置によって環流ガスを吹き込む配管長さが異なる構造の浸漬管において、配管長が短い環流ガス配管の内断面積よりも、配管長が長い環流ガス配管の内断面積を大きくする。
【００２３】
具体的には、配管長が長い環流ガス配管には内径断面積が大きな配管を使用し、配管長が短い環流ガスの配管には内径断面積がそれよりも小さい配管を使用することにより、配管長が長いためによる圧力損失を低減し、配管長が短い配管との環流ガス流量差を抑えて環流ガス流を均一にする。
【００２４】
環流ガス流量差抑制手段の第３の手段は、浸漬管の内筒側吐出孔部位置から浸漬管の外筒側に存在する溶融金属の湯面位置までの距離が、最短になるように環流ガス配管を配置した。これにより、浸漬管内の外筒側に存在する溶融金属から環流ガス配管への受熱は最低限となることで、環流ガスの年度上昇を抑え配管長が短い配管との環流ガス流量差を抑えて環流ガス流を均一にする。
【００２５】
環流ガス流量差抑制手段の第４の手段は、環流ガス配管の長さが、配管元吹込み部から吐出孔までの各配管の圧損差が１０％以内となる長さであり、真空脱ガス装置の浸漬管を溶融金属へ浸漬した際の浸漬管外筒側に存在する溶融金属の湯面の高さ位置と、浸漬管内筒側吐出孔部高さ位置までの距離が最短になるように配管配置する。これにより、配管長の差による圧力損失差が少なくなり、又浸漬管内の外筒側に存在する溶融金属から環流ガス配管への受熱は最低限となることで、環流ガスの温度上昇に伴う環流ガス粘度の上昇を抑え、環流ガス流量への影響を抑える。
【発明の効果】
【００２６】
本発明は、集合管から遠い位置に配置された環流ガス配管、あるいは、吐出孔に近い部位の環流ガス配管の断熱を強化することによって集合管から遠い位置に配置された環流ガス配管内のアルゴンガス等環流ガスの温度の上昇を防ぐことで、環流ガスの粘性の上昇を防ぎ、浸漬管に配置された環流ガス配管の環流ガス流量バランスをとって均一な環流ガスの吐出量とすることを可能とした。
【００２７】
これによって、浸漬管の内周面に開口する複数のガス吐出孔から吐出される環流ガス流は均一化されて、偏流の形成はなくなり、その周囲に形成される耐火物の不均一の摩耗の発生をなくすことができる。
【図面の簡単な説明】
【００２８】
【図１】本発明の真空脱ガス炉に取り付けられた浸漬管の垂直断面図である。
【図２】図１のＢ−Ｂ線から見た水平断面である。
【図３】実施例１の浸漬管の環流ガス配管を平面状に展開した図である。
【図４】実施例２の浸漬管の環流ガス配管を平面状に展開した図である。
【図５】実施例３の浸漬管の環流ガス配管を平面状に展開した図である。
【図６】実施例４の浸漬管の環流ガス配管を平面状に展開した図である。
【図７】従来のＲＨ炉の上昇管における環流ガス配管部分の縦断面を示す。
【図８】図８のＡ−Ａ線に沿った水平断面図である。
【図９】図８の浸漬管の環流ガス配管を平面状に展開した図である。
【図１０】本発明の浸漬管を想定した実験装置である。
【図１１】本発明の浸漬管を想定した実験装置である。
【発明を実施するための形態】
【００２９】
図１に本発明の真空脱ガス炉の浸漬管の垂直断面を示し、図２に図１のＢ−Ｂ線から見た水平断面を示す。
【００３０】
真空脱ガス炉の浸漬管は、図８及び図９の従来の浸漬管と同様に、浸漬管の中心位置に配置した円筒状の芯金１の内外周には、耐火れんが２が不定形材３を介して固定、支持されている。環流ガス配管５は、浸漬管の内側へ芯金１に沿って略均一に耐火れんが２内に形成された複数の孔に挿入された複数本の耐熱鋼製のパイプが配置され、それぞれの環流ガス配管５の先端の吐出口５ａからアルゴンガスなどの環流ガスを溶鋼内に吐出する。
【００３１】
複数本の環流ガス配管５は、その基部を１個所に集めた集合管６を形成し、外部から集合管６を通してそれぞれの環流ガス配管５へ環流ガスが供給される構造となっている。
【００３２】
本発明の浸漬管に使用する芯金１は、耐熱性金属で構成される筒状の部材であり、通常、略円形の断面形状を有するが、楕円形や多角形状等に形成することもでき、また、二重管構造であってもよい。芯金１の内周と外周の少なくとも一方に定型耐火物を一部あるいは全部に用いてもよい。
【００３３】
芯金１には、外方に向かってスタッドが接合されていることが好ましい。このスタッドは、鋼や合金鋼等の金属製の丸棒状、角棒状、板状、波板状の部材を用いて構成する。このスタッドによって耐火材を効果的に支持するためには、耐火材との間に大きな接触抵抗が生じる形状が望ましく、例えば、Ｖ字形、Ｔ字形、Ｌ字形、Ｙ字形等の屈曲・分岐した形状とすることができる。また、スタッドは、芯金の表面に広く分散する様に複数設けることが好ましく、これにより耐火材を広い面積で支持することが可能となる。
【００３４】
また、浸漬管にはラス金網などの金網を芯金に接合し、スタッド同様に耐火材を支持することが可能である。
【００３５】
さらに、本発明の浸漬管に使用される環流ガス配管は、鋼やステンレス、合金鋼等の耐熱性の金属で構成された部材を用いる。ガスのリークを考慮した場合、配管用炭素鋼鋼管もしくは圧力配管用炭素鋼鋼管を使用することが望ましい。
【００３６】
本発明の浸漬管に使用する耐火材は、芯金の内側及び外側に施工配置される。耐火材としては本来公知の耐火材料材を用いることができ、例えば、マグネシア質、マグネシア−クロム質、マグネシア−カーボン質、マグネシア−アルミナ質、マグネシア−アルミナ−ジルコニア質、マグネシア−アルミナ−チタニア質、マグネシア−スピネル質、アルミナ−クロム質、アルミナ−カーボン質、アルミナ−マグネシア−カーボン質、アルミナ−スピネル−カーボン質、マグネシア−アルミナ−カーボン質等の耐火材料を使用することができる。
【００３７】
以下に、本発明の浸漬管構造について、例をあげて実施形態を説明する。
【実施例１】
【００３８】
本実施例は、環流ガス吐出孔位置によって環流ガスを吹き込む環流ガス配管の長さが異なる構造の浸漬管において、配管長が短い環流ガス配管部の断熱性よりも、配管長が長い環流ガス配管の吐出孔側の配管部の断熱性を増大した例である。
【００３９】
図３は本実施例の浸漬管の環流ガスの配管５を平面状に展開した図で、図１に示す浸漬管の内筒面の内面から見た環流ガス配管の先端の吐出口の配置を示す水平展開図であって、従来のＲＨ上昇管を内面から見た環流ガス配管の先端の吐出管の配置を示す図９に対応するもので、同展開図において、各配管の長さは、集合管６の配置位置によって異なる。
【００４０】
図３の配管の展開図において、集合管６から配管長さが長い両端からのそれぞれの環流ガス配管５についての断熱を強化した。具体的には同位置の耐火れんが２について内筒側のれんが２の背面及び、外筒側に位置するれんが２の背面に断熱シート４を貼り付けた。
【００４１】
断熱シート４を張り付けたれんがの位置は、図２，３に示すように集合管６の対面側１／２周に相当し、当該部位に位置するれんが背面に断熱シート４を貼ることで、当部位に位置する環流ガス配管５の断熱を強化した。
【実施例２】
【００４２】
本実施例は、環流ガス吐出孔位置によって環流ガス配管の長さが異なる構造の浸漬管において、配管長が短い環流ガス配管部の断熱性よりも、配管長が長い環流ガス配管の吐出孔側の配管部の断熱性を増大した例である。
【００４３】
図４は、本実施例の浸漬管の環流ガス配管を平面状に展開した図であり、各環流ガス配管５の長さは、集合管６の配置位置によって異なる。集合管６から配管長さが長い両端からそれぞれ５本について、断熱材４を巻いて断熱を強化した。
【００４４】
このように集合管から遠い位置に配置する環流ガス配管及び環流ガス吐出孔周辺の断熱の強化を行う方法としては、環流ガス配管へ直接断熱材を塗布したり、断熱テープを巻いたりすることも可能である。また、断熱材としてシリカ、アルミナなどの中空粒子を使用した断熱キャスタブルやモルタル、断熱ウール、断熱シートを使用してもよい。
【実施例３】
【００４５】
本実施例は、環流ガス吐出孔位置によって環流ガス配管の長さが異なる構造の浸漬管において、配管長が短い環流ガス配管の内断面積よりも、配管長が長い環流ガス配管の内断面積を大きくした例である。
【００４６】
図５は本実施例の浸漬管の環流ガス配管を平面状に展開した図であり、各配管の長さは、集合管６の配置位置によって異なる。
【００４７】
集合管側位置を０°として、集中管側から左右９０°の範囲に配置する環流ガス配管８には、  ＪＩＳ  ＳＧＰ６Ａを使用し、集中管側から９０°から２７０°の範囲に位置する環流ガス配管７  には、ＪＩＳ  ＳＧＰ８Ａを使用した。
【００４８】
環流ガス配管の内径について、配管長が異なることによる圧力損失と精錬中の環流ガスの温度上昇に伴うガス粘性上昇による流量低下のバランスを考慮し、適正な配管を選択することが望ましい。使用する部材コストを考慮すれば、既成の部材を使用することが望ましいが、入手が出来ない場合は、先述の配管部の断熱技術との併用も可能である。
【実施例４】
【００４９】
本実施例は、浸漬管の内筒側吐出孔部位置から浸漬管の外筒側に存在する溶融金属の湯面位置までの距離が、最短になるように環流ガス配管を配置した例である。
【００５０】
図６は、本実施例の浸漬管の環流ガス配管５を平面状に展開した図であり、各配管の長さは、集合管６の配置位置によって異なる。
【００５１】
本実施例では、図６に示す環流ガスの吐出孔位置ｂと、溶融金属へ浸漬管を浸漬した際の外筒側の溶融金属湯面位置ａとの位置関係が最短になるように配置した。
【００５２】
例えば溶融金属へ垂直に浸漬させる浸漬管の場合、吐出孔位置から溶融金属湯面へ垂直になるように配管させ、環流ガス配管が溶融金属が存在する位置と最短とすることで、外筒側溶融金属からの受熱を最小にした。
【００５３】
当配管方法においても、配管長に合わせ適正な内断面積の環流ガス配管を使用したり、長い環流ガス配管の吐出孔側の断熱をおこなったりすることも可能である。
【００５４】
環流ガスの配管長は、夫々の環流ガス配管の常温（２０℃）における圧力損失差が１０％以下となるように環流ガス配管長とすることが望ましい。
【００５５】
常温（２０℃）における圧力損失差が１０％を超える場合、精錬時に環流ガス配管の温度が上昇した際、配管長が異なることでの環流ガス受熱温度が異なってくることから更に圧力損失が増加してしまう為である。
【００５６】
[実験例]
集合管側に配置される管長が短い配管と、管長が長い配管の吐出孔から吐出される循環ガスの態様を想定実験によって調べた。
【００５７】
図１０と図１１は実験装置である。  同装置において、圧力調整されたガスは流量計１０とガスヘッダー１２を介し、各々の配管パイプへ吐出される。各々の吐出パイプには流量計１３Ａ，１３Ｂを設置し、各パイプのガス流量を読むことが出来る様にした。
【００５８】
流量計１３Ａと１３Ｂから各々の電気炉中の試験配管への配管はＪＩＳ  ＳＣＨ６Ａの配管を用いて繋ぎこみを行い、試験に供した。
【００５９】
配管パイプとして、ＪＩＳ  ＳＧＰ６Ａ、環流ガス配管の長さ相当の６００ｍｍ、２３００ｍｍの２種類とＪＩＳ  ＳＧＰ８Ａ  長さ２３００ｍｍの配管を１種類の合計３種類を準備した。６００ｍｍ長さのパイプは集合管側に配置される管長が短い配管を、２３００ｍｍ長さのパイプは集合管の反対面に配置される管長が長い配管を想定したものである。
【００６０】
これらパイプは電気炉１４内へ挿入できる様に１００ｍｍ径の螺旋状に巻いた。熱間での実験は、シリコユニット発熱方式の箱型の電気炉１４を用い、空気雰囲気下にて行った。
【００６１】
断熱の効果を確認する試験においては、管長が長い配管パイプへ断熱シート１６を施した。パイプへの断熱を施す方法は、断熱シート１６は、厚みが２ｍｍの断熱シート（商品名：ＳＣペーパー）を準備し、電気炉内の配管を覆う様に囲った。
【００６２】
配管パイプへの断熱を行っていない装置と断熱を施した装置の各々において、雰囲気温度は常温（室温２０℃）と電気炉内温度８００℃にて測定を行った。
【００６３】
熱間での測定雰囲気温度８００℃は、ＲＨ浸漬管を１０ヒート使用直後の芯金部分の温度を熱計算により導き出したものであり、当温度を実験に採用したものである。実験にあたっての操炉は、１時間あたり１００℃にて昇温し、８００℃にて保持した。
【００６４】
吹き込みガスとして、エアを用い、脱脂、脱湿及び圧力調整を実施した。エアの圧力は、２９４ＫＰａの一定圧力供給とし、流量計のフロートが安定し、且つ炉内温度が安定した時点での流量を読み取った。
【００６５】
各温度の実験での短管相当ＳＧＰ６Ａ  ６００ｍｍ長さ配管のガス流量値を１００として、長管相当ＳＧＰ６Ａ，ＳＧＰ８Ａの各々２３００ｍｍ長さのガス流量値を指数化し短管との流量差を確認した。また、比較例として、断熱処理を行わない同質のパイプへの同様の加熱中での流量の測定を行った。その結果を表１に示す。
【００６６】
【表１】
0005729875.tif 000002
【００６７】
実施例、比較例両実験ともに、常温においての流量はＳＧＰ６Ａ  ６００ｍｍ長さ配管とＳＧＰ６Ａ  ２３００ｍｍ配管の流量に差が見られた。これは配管長が異なることによる圧力損失によるものである。
一方ＳＧＰ８Ａ  ２３００ｍｍ長さ配管の流量はＳＧＰ６Ａと変わらない値となった。
【００６８】
次に、８００℃雰囲気下でのガス流量差においては、比較例の場合では６００ｍｍ長さ配管と２３００ｍｍ配管の流量の差が更に大きくなる結果となった。これは配管長が異なり圧力損失があることに加え、２３００ｍｍ長さの配管は、ガスが配管内を移動する間に受熱し、ガスの粘性が上がり結果的に圧力損失の増加に繋がったものである。
【００６９】
同様に８００℃雰囲気下実験において、ＳＧＰ６Ａ  ６００ｍｍ長さ配管の流量と、ＳＧＰ８Ａ  ２３００ｍｍ長さ配管のガス流量の差は無い結果となった。これは、２３００ｍｍ長さ配管はＳＧＰ８Ａ配管の管内断面積が大きい為、配管温度上昇に伴うガス粘度上昇がしても圧力損失の上昇が６００ｍｍ長さ配管よりも小さいことから、短管との流量差が小さくなったと考えられる。
【００７０】
また、同様に８００℃雰囲気下の実験において、ＳＧＰ６Ａ  ６００ｍｍ長さ配管の流量と、断熱を施した２３００ｍｍ長さ配管のガス流量の差が小さくなった。これは２３００ｍｍ長さ配管に断熱が施されていることで、配管を通過するガスの温度上昇が抑制され、さらにガスの粘性上昇が抑えられることで圧力損失増加の防止に繋がったと考えられる。
【００７１】
環流ガス吐出孔位置により、環流ガスを吹き込む配管長さが異なる構造の浸漬管において、配管長が短い環流ガス配管の内断面積よりも、配管長が長い環流ガス配管の内断面積を大きくすることで、配管の温度上昇に伴うガス粘性の上昇と流量低下が起こっても、配管長が短い環流ガス配管のガス流量との差が小さくなることで、環流ガス流量バランスをとって均一な吐出にする。
【００７２】
集合管の配管内のアルゴンガス等環流ガスの温度上昇を抑制することで環流ガスの粘性が上昇することを防ぎ、配管長が異なる浸漬管の環流ガス配管部の環流ガス流量バランスをとって均一な吐出にする。
【符号の説明】
【００７３】
１：芯金                        ２：耐火れんが
３：不定形耐火物                ４：断熱材
５：環流ガス配管
５ａ：環流ガス吐出孔            ６：集合管
７：環流ガス配管（ＳＧＰ８Ａ）  ８：環流ガス配管（ＳＧＰ６Ａ）
９：圧力計                    １０：元ガス流量計  
１１：バルブ                  １２：ガスヘッダー
１３：流量計                  １４：電気炉
１５：試験用環流ガス配管      １６：断熱シート
ａ：浸漬時の溶融金属位置        ｂ：環流ガス吐出孔位置
【図１】
0005729875.tif 000003
【図２】
0005729875.tif 000004
【図３】
0005729875.tif 000005
【図４】
0005729875.tif 000006
【図５】
0005729875.tif 000007
【図６】
0005729875.tif 000008
【図７】
0005729875.tif 000009
【図８】
0005729875.tif 000010
【図９】
0005729875.tif 000011
【図１０】
0005729875.tif 000012
【図１１】
0005729875.tif 000013